(57)【特許請求の範囲】
【請求項１】
電源装置に接続された一対の電線の導体と、
前記対の導体の所定個所のまわりに設けられた形状記憶合金または形状記憶樹脂体とからなり、
前記形状記憶合金または形状記憶樹脂体の周囲温度が設定温度であるとき、その熱によって前記形状記憶合金または形状記憶樹脂体が形状復元し、前記各導体が接触または接続され、電流が前記電源装置から供給され、その電流によって前記周囲温度が検出されるようにしたことを特徴とする温度検出装置。
【請求項２】
前記導体は一対の電線の導体からなり、前記形状記憶合金または形状記憶樹脂体が前記対の電線のまわりに設けられ、前記形状記憶合金または形状記憶樹脂体が形状復元したとき、前記形状記憶合金または形状記憶樹脂体によって前記各電線が締め付けられ、その導体が接触するようにしたことを特徴とする請求項１に記載の温度検出装置。
【請求項３】
前記形状記憶合金または形状記憶樹脂体はコイル状であり、前記対の電線のまわりに巻き付けられていることを特徴とする請求項２に記載の温度検出装置。
【請求項４】
複数の前記形状記憶合金または形状記憶樹脂体が前記電線に沿って間隔を置いて配置され、前記対の電線のまわりに設けられていることを特徴とする請求項２に記載の温度検出装置。
【請求項５】
前記電線は可溶絶縁体を有する可溶絶縁電線からなり、前記導体は前記可溶絶縁体に収容されており、前記電線の周囲温度が所定温度であるとき、その熱によって前記可溶絶縁体が溶融するようにしたことを特徴とする請求項２に記載の温度検出装置。
【請求項６】
火災感知器として使用し、火災の熱によって前記周囲温度が上昇し、その温度が前記設定温度に達したとき、火災の熱によって前記形状記憶合金または形状記憶樹脂体が形状復元し、前記電流によって火災が感知されるようにしたことを特徴とする請求項１〜５のいずれかに記載の温度検出装置。
【請求項７】
前記導体は銅またはアルミニウム製であり、前記電線はフレキシブルであり、任意に敷設可能であることを特徴とする請求項６に記載の温度検出装置。
【請求項８】
前記各導体が警報装置に接続されており、前記導体が接触または接続されたとき、前記電流が前記警報装置に流れ、前記警報装置によって警報がなされるようにしたことを特徴とする請求項６に記載の温度検出装置。
【発明の詳細な説明】
【技術分野】
【０００１】  この発明は、温度検出装置に関するものである。
【背景技術】
【０００２】  温度検出装置には種々の構成のものがある。その目的も様々である。たとえば、火災感知器にも温度を検出する種類のものが多い。温度を検出する種類の火災感知器では、火災の熱によって感知器の周囲温度が上昇し、その温度が設定温度に達すると、火災感知器によって火災が感知される。したがって、その感知器も温度検出装置の一例であるということができる。【０００３】  ところで、特開２００３−３６４８８号公報に記載されているように、普通、火災感知器は天井面に取り付けられ、設置されるが、その設置作業は容易ではない。工数が要求され、コストが高い。【０００４】  さらに、火災感知器が建造後の建築物に設置されることは普通であるが、コストの関係上、火災感知器が建造中の建築物または作業場に設置されることはない。したがって、建造中の建築物または作業場で火災が発生したとき、それに的確に対処することができず、その対策が強く要望されている。【０００５】  同様の理由で、火災感知器が展示場、イベント会場、興行会場、仮設住宅、仮設宿舎、仮設工場および仮設事務所に設置されることもない。したがって、火災が発生したとき、それに的確に対処することができない。【０００６】  この他、建造中の船舶、航空機、車両および作業場で火災が発生することもある。【０００７】  したがって、この発明の目的は、特別の構成をもち、火災感知器として使用するに適した温度検出装置を提供することにある。【０００８】  他の目的は、火災感知器として使用したとき、それを容易に設置することができ、工数が要求されず、コストが低い温度検出装置を提供することにある。【０００９】  他の目的は、火災感知器として使用し、建造中の建築物または作業場に設置するに適した火災感知器を提供することにある。【００１０】  他の目的は、火災感知器として使用し、展示場などの仮設建造物に設置するに適した温度検出装置を提供することにある。【００１１】  他の目的は、火災感知器として使用し、建造中の船舶、航空機、車両および作業場に設置するに適した温度検出装置を提供することにある。
【特許文献１】特開２００３−３６４８８号公報
【発明の開示】
【００１２】  この発明によれば、一対の導体が電源装置に接続される。さらに、形状記憶合金または形状記憶樹脂体が対の導体のまわりに設けられ、形状記憶合金または形状記憶樹脂体の周囲温度が設定温度であるとき、その熱によって形状記憶合金または形状記憶樹脂体が形状復元し、各導体が接触または接続される。したがって、電流が電源装置から供給され、その電流によって周囲温度が検出される。
【００１３】  好ましい実施例では、導体は一対の電線の導体からなる。そして、形状記憶合金または形状記憶樹脂体が対の電線のまわりに設けられ、形状記憶合金または形状記憶樹脂体が形状復元したとき、形状記憶合金または形状記憶樹脂体によって各電線が締め付けられ、その導体が接触する。
【００１４】  形状記憶合金または形状記憶樹脂体はコイル状であり、対の電線のまわりに巻き付けられる。
【００１５】  さらに、複数の形状記憶合金または形状記憶樹脂体が電線に沿って間隔を置いて配置され、対の電線のまわりに設けられる。
【００１６】  さらに、電線は可溶絶縁体を有する可溶絶縁電線からなり、導体は可溶絶縁体に収容される。そして、電線の周囲温度が所定温度であるとき、その熱によって可溶絶縁体が溶融する。
【００１７】  さらに、好ましい実施例では、この装置が火災感知器として使用される。そして、火災の熱によって周囲温度が上昇し、その温度が設定温度に達したとき、火災の熱によって形状記憶合金または形状記憶樹脂体が形状復元し、電流によって火災が検知される。
【００１８】  導体は銅またはアルミニウム製であり、電線はフレキシブルであり、任意に敷設可能である。
【００１９】  さらに、各導体が警報装置に接続され、導体が接触または接続されたとき、電流が警報装置に流れ、警報装置によって警報がなされる。
【００２０】  電線に可溶絶縁電線を使用する場合、弾力の大きい金属体を対の電線のまわりに設けてもよい。そして、金属体によって各電線が挟み付けられるようにすると、電線の周囲温度が所定温度であるとき、その熱によって可溶絶縁体が溶融し、金属体によって各導体が接触または接続される。したがって、電流が電源装置から供給され、その電流によって周囲温度が検出される。
【００２１】  この場合、金属体は鋼またはステンレス製であり、コイルまたはクリップ状であることが好ましい。
【図面の簡単な説明】
【００２２】
【図１】図１はこの発明の実施例を示す側面図である。
【図２】図２は図１の火災感知器の電気回路図である。
【図３】図３は他の実施例を示す側面図である。
【図４】図４は他の実施例を示す側面図である。
【図５】図５は図４の導体が接続された状態を示す側面図である。
【図６】図６は他の実施例を示す側面図である。
【符号の説明】
【００２３】１  導体
２  形状記憶合金体
３  電線
４  ＡＣアダプタ
７  火災ランプ
８  ベルまたはブザー
１２  金属体
【発明を実施するための最良の形態】
【００２４】  以下、この発明の実施例を説明する。【００２５】  図１はこの発明にかかる温度検出装置を示す。この装置では、一対の導体１が電源装置に接続される。さらに、形状記憶合金体２が対の導体１のまわりに設けられており、形状記憶合金体２の周囲温度が設定温度であるとき、その熱によって形状記憶合金体２が形状復元し、各導体１が接触または接続される。したがって、電流が電源装置から供給され、その電流によって周囲温度が検出される。【００２６】  この実施例では、導体１は一対の電線３の導体からなる。そして、形状記憶合金体２が対の電線３のまわりに設けられている。形状記憶合金体２はコイル状のもので、対の電線３のまわりに巻き付けられている。さらに、この実施例では、複数の形状記憶合金体２が電線３に沿って間隔を置いて配置され、対の電線３のまわりに設けられ、巻き付けられている。さらに、電線３は可溶絶縁体を有する可溶絶縁電線からなり、導体１は可溶絶縁体に収容されている。【００２７】  さらに、この実施例では、この装置が火災感知器として使用される。導体１は銅またはアルミニウム製であり、電線３はフレキシブルであり、任意に敷設可能である。【００２８】  さらに、各導体１が電源装置および警報装置に接続される。たとえば、図２に示すように、電源装置にＡＣアダプタ４が使用されており、各導体１がリレー５、スイッチ６およびＡＣアダプタ４に接続されている。さらに、警報装置に火災ランプ７およびベルまたはブザー８が使用され、各導体１がリレー接点９、火災ランプ７およびベルまたはブザー８に接続されている。さらに、電源ランプ１０がスイッチ６およびＡＣアダプタ４に接続されている。【００２９】  そして、たとえば、建設中の建築物または作業現場において、ＡＣアダプタ４がコンセントに差し込まれ、スイッチ６がＯＮ状態に切り換えられる。したがって、電流がＡＣアダプタ４から供給され、スイッチ６を通り、電源ランプ１０に流れ、電流によって電源ランプ１０が点灯する。その後、電線３が床面、天井面または壁面に敷設される。電線３を空中に架線し、敷設してもよい。【００３０】  したがって、その後、火災が発生したとき、火災の熱によって周囲温度が上昇し、その温度が設定温度に達すると、火災の熱によって形状記憶合金体２が形状復元し、その半径が減少する。したがって、形状記憶合金体２によって各電線３が締め付けられ、その導体１が接触する。したがって、電流がＡＣアダプタ４から供給され、その電流によって火災が感知される。【００３１】  さらに、電流が導体１を通り、リレー５に流れ、電流によってリレー５が励磁され、リレー接点９がＯＮ状態に切り換えられる。したがって、電流がリレー接点９を通り、火災ランプ７およびベルまたはブザー８に流れ、電流によって火災ランプ７が点灯し、ベルまたはブザー８が鳴る。したがって、火災ランプ７およびベルまたはブザー８によって警報がなされ、火災に的確に対処することができる。【００３２】  さらに、この実施例では、電線３は可溶絶縁電線であり、導体１は可溶絶縁体に収容されていることは前述したとおりである。したがって、火災が発生したとき、火災の熱によって周囲温度が上昇し、その温度が所定温度に達すると、火災の熱によって可溶絶縁体が溶融する。これと同時に、火災の熱によって形状記憶合金体２が形状復元し、各電線３が締め付けられる。したがって、各導体１を確実に接触させることができる。【００３３】  しかも、複数の形状記憶合金体２が電線３に沿って間隔を置いて配置され、対の電線３のまわりに設けられ、巻き付けられていることも前述したとおりである。したがって、電線３の全長において、どの部分で火災が発生しても、問題はない。その部分において、火災の熱によって形状記憶合金体２が形状復元し、各電線３が締め付けられ、その導体１が接触する。したがって、火災を確実に感知することができる。【００３４】  導体１は銅またはアルミニウム製であり、電線３はフレキシブルであり、任意に敷設可能であることも前述したとおりである。したがって、床面、天井面、壁面または空中において、電線３を容易に敷設することができる。【００３５】  したがって、この火災感知器の場合、電線３を単に敷設するだけでよく、これを容易に設置することができ、工数は要求されず、コストは低い。この結果、この火災感知器を建設中の建築物または作業場に設置することができるものである。したがって、建設中の建築物またはその作業場で火災が発生したとき、それに的確に対処することができる。【００３６】  建設中の建築物に限らず、この火災感知器を展示場などの仮設建造物に設置することもできる。したがって、その仮設建造物で火災が発生したとき、それに的確に対処することができる。【００３７】  この火災感知器を建造中の船舶、航空機、車両および作業場に設置することもできる。したがって、火災が発生したとき、それに的確に対処することができる。【００３８】  建設後の建築物において、通常の火災感知器が天井面に取り付けられているとき、この火災感知器をその建築物に使用し、電線３を床面または壁面に敷設してもよい。電線３を空中に架線し、敷設してもよい。この場合、天井面の火災感知器の他に、床面、壁面または空中の火災感知器において、付加的に火災を感知することができ、好ましい。【００３９】  なお、この実施例では、電源装置にＡＣアダプタ４を使用したものを説明したが、電源装置に乾電池、蓄電池などの電池を使用し、各導体１をそれに接続してもよい。【００４０】  警報装置に無線信号発信器および受信器を使用し、火災が発生し、導体１が接触したとき、無線信号が発信器から発信され、受信器に受信されるようにしてもよい。さらに、その信号にもとづき、火災ランプ、ベルまたはブザーによって警報がなされるようにしてもよい。【００４１】  図３に示すように、形状記憶合金体２は逆向きの二重コイルからなり、スリーブネット状であってもよい。この場合、電線３をスリーブネット状の形状記憶合金体２に挿入すると、形状記憶合金体２が対の電線３のまわりに設けられ、支持される。そして、火災が発生したとき、火災の熱によって形状記憶合金体２が形状復元し、その半径が減少する。したがって、形状記憶合金体２によって各電線３が締め付けられ、その導体１が接触し、火災が感知される。【００４２】  形状記憶合金体はクリップ状であってもよい。クリップ状であっても、それを対の電線のまわりに設け、支���することができる。そして、火災が発生したとき、火災の熱によって形状記憶合金体が形状復元し、その半径が減少する。したがって、形状記憶合金体によって各電線が締め付けられ、その導体が接触し、火災が感知される。【００４３】  形状記憶合金体に代えて形状記憶樹脂体を使用することも考えられる。【００４４】  火災感知器に限らず、この温度検出装置を他の目的に使用することも考えられる。【００４５】  図４は他の実施例を示す。この実施例でも、一対の導体１が電源装置に接続され、形状記憶合金体２が対の導体１のまわりに設けられている。形状記憶合金体２はコイル状である。さらに、各導体１がカバーケース１１を貫通し、カバーケース１１が導体１に支持され、形状記憶合金体２はカバーケース１１に収容され、その内周面に係合し、保持されている。【００４６】  したがって、形状記憶合金体２の周囲温度が設定温度であるとき、図５に示すように、その熱によって形状記憶合金体２が形状復元し、その半径が減少する。したがって、形状記憶合金体２によって各導体１が接続され、電流が電源装置から供給され、その電流によって周囲温度が検出される。【００４７】  図４の装置において、形状記憶合金体２はスリーブネット状であってもよく、クリップ状であってもよい。【００４８】  図６の実施例では、図１の実施例と同様、一対の電線３において、その導体１が電源装置に接続されている。電線３は図１の電線と同様のもので、可溶絶縁体を有する可溶絶縁電線からなり、導体１は可溶絶縁体に収容されている。さらに、弾力の大きい金属体１２が対の電線３のまわりに設けられている。金属体１２は鋼またはステンレス製である。そして、金属体１２によって各電線３が挟み付けられており、電線３の周囲温度が所定温度であるとき、その熱によって可溶絶縁体が溶融し、これと同時に、弾性によって金属体１２が形状復元し、金属体１２によって各導体１が接触または接続される。したがって、電流が電源装置から供給され、その電流によって周囲温度が検出される。【００４９】  この実施例では、金属体１２はコイル状であり、対の電線３のまわりに巻き付けられている。したがって、可溶絶縁体が溶融したとき、弾性によって金属体１２が形状復元し、その半径が減少する。したがって、金属体１２によって各導体１が接触または接続されるものである。金属体１２はクリップ状であってもよい。【００５０】  さらに、この実施例では、図１の形状記憶合金２と同様、複数の金属体１２が電線３に沿って間隔を置いて配置され、対の電線３のまわりに設けられている。各導体１が電源装置および警報装置に接続されていることも図１の実施例と同様である。そして、これが火災感知器として使用され、火災が発生したとき、その熱によって可溶絶縁体が溶融し、金属体１２によって各導体１が接触または接続され、電流が電源装置から供給され、その電流によって火災が感知される。さらに、電流が警報装置に流れ、警報装置によって警報がなされる。
【図１】
0004190537.tif 000002
【図２】
0004190537.tif 000003
【図３】
0004190537.tif 000004
【図４】
0004190537.tif 000005
【図５】
0004190537.tif 000006
【図６】
0004190537.tif 000007